(57)【特許請求の範囲】
【請求項１】
水平な単一平面状に展開された状態で前後配置される２つのベッド支持面部を備え、該２つのベッド支持面部は対向辺部間を中間結合部材を介して側面視逆Ｖ字状の折り畳み可能に枢結され、且つ、前記中間結合部材には前後向きの支点軸に端部を枢支されて揺動可能な揺動部材が設けられ、該揺動部材の先部上とそれぞれのベッド支持面部上の位置との間に弾性部材を張設することによって、揺動部材はベッドの展開状態ではベッド下面に収納され、ベッドの折り畳み操作に連動して前記弾性部材の付勢力によって自動的に揺動し、その先部が下方に引き出されて前記弾性部材の付勢力をベッドを折り畳むように作用させることを特徴とする折り畳み式ベッド。
【発明の詳細な説明】
【技術分野】
【０００１】
本発明は、不使用時にコンパクトに折り畳むことのできる折り畳み式ベッドに関する。
【背景技術】
【０００２】
水平な単一平面状に展開された状態で床面上の任意な一定高さ位置に前後配置される２つのベッド支持面部を備え、該２つのベッド支持面部が対向辺部間を側面視逆Ｖ字状の折り畳み可能に枢結されると共に２つのベッド支持面部にスプリングによる折り畳み力が付与されるものとなされた折り畳み式ベッドは、例えば特許文献１及び２などに開示されている。
【０００３】
この種の折り畳み式ベッドにおいて、折り畳み処理の労力を少なくするには、スプリングによる折り畳み力を成るべく大きくすることが望まれるのであるが、この折り畳み力が過度に大きくなされると、水平な単一平面状に展開されたベッド使用状態において、折り畳む必要のないときにまでスプリングの弾力により折り畳み作動するようになってしまうのであり、したがってスプリングによる折り畳み力は水平な単一平面状に展開された使用状態が安定的に維持される範囲内においてのみ可能となる。
【０００４】
しかし、この範囲内の大きさとなされた折り畳み力では、折り畳み処理の労力を十分に少なくすることができないのであり、これを可能とするには、上記使用状態に近い状態ではスプリングによる折り畳み力が小さくなり、折り畳み操作が少し進行して２つのベッド支持面部の対向辺部がベッドの前後方向各端部よりも数十ｃｍ（例えば１０ｃｍ乃至２０ｃｍ程度）上方へ引き上げられた段階で、スプリングによる折り畳み力が増大した状態となり、折り畳み処理が終了する段階で、再び折り畳み力が適当に小さくなるような機構を形成することが必要となる。
【０００５】
このような機構としては例えば特許文献３に開示されており、具体的には、展開状態である使用状態ではスプリングの弾力がベッドの折り畳み力として機能しない構成であるためスプリングの弾力の大小に拘わらず折り畳み力はほぼゼロとなり、また折り畳み処理が或る程度まで進行した段階、即ちベッドの前後方向中央部が数十ｃｍ程度引き上げられた段階では、スプリングの下方に設けられたサポート軸が該スプリングと干渉し、以後折り畳みが進行することでスプリングによる折り畳み力は前記干渉により漸次に減少する構成となされている。なお、折り畳み状態から展開状態に変化させる場合には、上記の逆に作動する。
【０００６】
上記特許文献３に開示された機構によれば、スプリングの弾力を大きくしても、ベッドの使用状態において折り畳む必要のないときにまで折り畳み作動することが確実に回避される。またベッドの前後方向中央部が少し引き上げられ折り畳み操作が開始された後で、スプリングがサポート軸に干渉するまでの段階では、折り畳み処理に必要な力は比較的大きな割合でスプリングの弾力に補助されるものとなり、またスプリングがサポート軸に干渉した時点から折り畳み処理がほぼ終了するまでは折り畳みに要する力、及び、スプリングによる折り畳み力は共に漸次に小さくなり、折り畳み処理が終了した時点では、２つのベッド支持面部が側面視逆Ｖ字状に折れ曲がった姿勢となり、該姿勢はスプリングの弾力により維持されるようになる。
【特許文献１】登録実用新案第３００３３８５号公報
【特許文献２】登録実用新案第３０４９０８５号公報
【特許文献３】特開２００１−２７８号公報
【発明の開示】
【発明が解決しようとする課題】
【０００７】  本発明は、上記特許文献３に開示されているようなサポート軸を設けるスペースのないほどに低いベッドであってもスプリングの付勢力（弾力）を利用することにより少ない労力で折り畳むことを可能とした折り畳み式ベッドを提供することを目的とする。
【課題を解決するための手段】
【０００８】  上記目的を達成するため、本発明に係る折り畳み式ベッドは、水平な単一平面状に展開された状態で前後配置される２つのベッド支持面部を備え、該２つのベッド支持面部は対向辺部間を中間結合部材を介して側面視逆Ｖ字状の折り畳み可能に枢結され、且つ、前記中間結合部材には前後向きの支点軸に端部を枢支されて揺動可能な揺動部材が設けられ、該揺動部材の先部上とそれぞれのベッド支持面部上の位置との間に弾性部材を張設した。こうすることによって、揺動部材はベッドの展開状態ではベッド下面に収納され、ベッドの折り畳み操作に連動して前記弾性部材の付勢力によって自動的に揺動し、その先部が下方に引き出されて前記弾性部材の付勢力をベッドを折り畳むように作用させることができる。
【発明の効果】
【０００９】  本発明によれば、上記特許文献３に開示されているようなサポート軸を設けるスペースのないほどに低いベッドであってもスプリングの付勢力を利用することにより少ない労力で折り畳むことができるものとなる。
【発明を実施するための最良の形態】
【００１０】
以下、本発明の実施の形態について、図面を参照して説明する。
本実施例の折り畳み式ベッドは、図１に示すように、水平な単一平面状に展開された状態で床面ａ１上の前後配置される左右一対のベッド支持面部１Ａ、１Ｂを備えている。これら一対のベッド支持面部１Ａ、１Ｂは対称構造であり、ここでは説明簡略化のため、一方のベッド支持面部１Ａのみについてその詳細構造を説明し、他方のベッド支持面部１Ｂの対応箇所には同一符号を付すものとする。
【００１１】
ベッド支持面部１Ａは矩形又は長方形状の枠体２と２本の縦補強部材３ａ、３ｂと簀の子面部４とを備えている。枠体２は外方辺部２ａ、対向辺部２ｂ及び、左右一対の側辺部２ｃ、２ｄとを平面視方形状に組み立てたものである。各側辺部２ｃ、２ｄは、その内側に高さの低い枠板２ｅを備えており、この枠板２ｅの上端面により、前後方向ｆ１へ長い細巾状の支持面部ｂ１が形成されている。図５に示すように、各側辺部２ｃ、２ｄの対向辺部２ｂ側の端部には対向辺部２ｂよりも他のベッド支持面部１Ｂ側へ数ｃｍ程度長く延長されて側面視略半円形となされた枢結部ｂ２、ｂ２が形成されている。また、図３に示すように、左右一対のベッド支持面部１Ａ、１Ｂの展開状態で該枢結部ｂ２、ｂ２の上側となる箇所に位置規制面ｂ３が形成されている。各縦補強部材３ａ、３ｂの上端面は、枠板２ｅの上端面と同じ高さ位置であり、支持面部ｂ１の一部を形成している。簀の子面部４は、図２に示すように、左右方向ｆ２へ長い板部材４ａを左右の枠板２ｅの上端面による支持面部ｂ１間に橋渡し状に載置して、かつこれの長さ途中箇所を各縦補強部材３ａ、３ｂの上端面に支持させると共に釘などで各側辺部２ｃ、２ｄや縦補強部材３ａ、３ｂに固定することにより形成される。
【００１２】
図４において、中間結合部材５は２つのベッド支持面部１Ａ、１Ｂの対向辺部２ｂ、２ｂ間を側面視逆Ｖ字状の折り畳み可能に枢結するための部材であって、左右一対の端部板材６、６と、これら端部板材６、６の上端部間を結合した水平状の横向き結合部材７とからなっている。図２に示すように、左右各側の端部板材６は内面側に２つのベッド支持面部１Ａ、１Ｂの同じ側の２つの枢結部ｂ２、ｂ２を近接状に添わせられると共にこれら枢結部ｂ２、ｂ２のそれぞれを図５などに示す左右向きの支点軸８、８を介して支点軸８、８回りの揺動可能に装着されている。横向き結合部材７の下面の略全長箇所にはこれの曲がりを規制するため図２に示すように補強部材９が左右方向ｆ２に沿わせて固定されている。
【００１３】  ２つのベッド支持面部１Ａ、１Ｂの中間結合部材５回りの揺動は、図１に示す展開状態と、図４に示す側面視逆Ｖ字状の折り畳み状態との間で行われる。図１に示す展開状態では、各ベッド支持面部１Ａ、１Ｂの位置規制面ｂ３が横向き結合部材７の対応する前後何れかの端面７ａ（図３参照）に当接して、２つのベッド支持面部１Ａ、１Ｂが単一平面の展開状態を超えて過度に折れ曲がるのを規制する。一方、図４に示す側面視逆Ｖ字状の折り畳み状態では、２つのベッド支持面部１Ａ、１Ｂの相対位置は後述するスプリングの付勢力で維持されるが、この状態を固定するための姿勢規制手段１０が設けられている。【００１４】
姿勢規制手段１０は任意に形成して差し支えないが、ここでは図３に示すように２つのベッド支持面部１Ａ、１Ｂの少なくとも左右一側に存在する２つの側辺部２ｄ、２ｄの長さ方向途中位置でそれぞれの側辺部２ｄ、２ｄの支点軸８、８から数ｃｍ乃至十ｃｍ程度離れた位置に、孔ｂ４、ｂ４を形成し、一方では短冊状板部材１１の一面に２つの嵌合突起１２、１２を適当に離して固設してなる係着具１３を形成し、該係着具１３の２つの嵌合突起１２、１２のそれぞれをその対応する孔ｂ４、ｂ４に嵌め込むことにより、姿勢規制手段１０を構成している。
【００１５】
図２及び図６に示すように、補強部材９の左右方向ｆ２長さ途中位置となる横向き結合部材７の下面箇所には補強部材９と一定距離を置いて軸支持部材１４が固定されている。補強部材９と軸支持部材１４との間には前後向きの支点軸１５が固設されており、該支点軸１５を介して揺動部材１６が揺動可能に設けられている。このさい、揺動部材１６は支点軸１５を中心として、左右方向ｆ２と平行をなす平面上で、凡そ０度から９０度未満の角度（例えば６０度程度）までの範囲内の任意な角度に揺動する。
【００１６】
揺動部材１６の先部の前後方向ｆ１で対向した各側面には第１スプリング係着片１７ａ、１７ａが固定されている。揺動部材１６が凡そ０度の位置に揺動されたときに、第１スプリング係着片１７ａと補強部材９との衝突を回避するため、図５及び図６に示すように補強部材９の左右方向ｆ２長さ途中位置に第１切欠部ｂ５が形成され、また一方のベッド支持面部１Ｂの中央箇所に比較的長い第２切欠部ｂ６が形成されている。
【００１７】  揺動部材１６の先端箇所には、床面ａ１に対する揺動部材１６の摺接を円滑に行わせるための張力補助手段１６ａが形成されている。図示例の張力補助手段１６ａは揺動部材１６の先部を円弧状に形成したものである。張力補助手段１６ａは、床面ａ１に対する引っ掛かりを防止し、揺動部材１６の引き出しによるコイルスプリング１８の弾性折り畳み張力を発現させる補助を行う。弾性折り畳み張力とは、支点軸８、８を中心とした円周上で後述する左右の第２スプリング係着片１７ｂ、１７ｂ同士の間の距離をして短縮するように働く付勢力であり、第２スプリング係着片１７ｂ、１７ｂと支点軸８、８とが図９Ａないし９Ｃにおいて同一線上に並んだときには、失われるものである。張力補助手段１６ａは案内輪を付加するなどして形成することも差し支えない。これにより、ベッドの折り畳み或いは展開を行う際に、床面を傷つけることも防止できる。【００１８】  図２などに示すように、各ベッド支持面部１Ａ、１Ｂの外方辺部２ａ、２ａの内面の長さ途中箇所には先の第１スプリング係着片１７ａ、１７ａに対応する第２スプリング係着片１７ｂ、１７ｂが固定されており、第１スプリング係着片１７ａとその対応する第２スプリング係着片１７ｂとの間のそれぞれには引張用のコイルスプリング１８が張設されている。それぞれのコイルスプリング１８は、付勢力が互いにバランスしている。【００１９】
ベッドの折り畳み処理や展開処理において、中間結合部材５の左右方向ｆ２各端部に引き上げ力を付与することが必要となるが、この必要に応じるため、図３などに示すように各端部板材６、６の外側面の上部及び前後部に指掛け用の突条部６ａが形成されている。
【００２０】
各ベッド支持面部１Ａ、１Ｂの外方辺部２ａの外面の左右各側には支持片を介して左右向きに固定された支軸回りの回転自在となされた支持輪１９が固設されている。支持輪１９はベッドの展開状態ではベッドを支持する床面ａ１に接するか或いは床面ａ１上に浮いた状態となり、一方図７に示すように中間結合部材５が１０ｃｍ乃至２０ｃｍ程度引き上げられて僅かに折り畳み処理の進行した段階では床面ａ１に当接してベッド本体を支持した状態となる。
【００２１】
次に上記した折り畳み式ベッドの使用例及び各部の作動などについて図８をも参照して説明する。
【００２２】
図４に示すように２つのベッド支持面部１Ａ、１Ｂが側面視逆Ｖ字状に折り畳まれ且つ姿勢規制手段１０により相対位置を規制されたとき、折り畳み式ベッドはその全体形状が固定化される。従って、簀の子面部４、４上に添わせて寝具などが載せられても、その全体形状が確実に維持されるため、寝具などの仮置き台や乾燥台などとしても便利且つ有効に利用される。
【００２３】
図４に示す折り畳み状態から図１に示す展開状態に変化させるには次のように操作する。まず折り畳み式ベッドを押し引きして設置位置に移動させた後、係着具１３の嵌合突起１２、１２をベッド支持面部１Ａ、１Ｂの孔ｂ４、ｂ４から引き抜く。次に２つのベッド支持面部１Ａ、１Ｂを手で持って各ベッド支持面部１Ａ、１Ｂの外方辺部２ａ、２ａを畳上面などの床面ａ１上で離間させることにより、これら２つのベッド支持面部１Ａ、１Ｂをそれぞれの対応する支点軸８、８回りの展開側へ揺動させる。
【００２４】
図８中の符号ｓ１で示す範囲である展開操作の初期段階では、使用者は中間結合部材５を下方に押し下げることにより、２つのベッド支持面部１Ａ、１Ｂのそれぞれをその対応するコイルスプリング１８の弾性折り畳み張力に抗してその対応する支点軸８回りの展開側へ揺動させる。
【００２５】
図８中の符号ｓ２で示す範囲である展開操作の中期段階では、２つのベッド支持面部１Ａ、１Ｂのコイルスプリング１８は中期段階ｓ２の終点に向け漸次に引き伸ばされていく。このさい展開操作が進行して２つのベッド支持面部１Ａ、１Ｂの自重によって、展開する方向への揺動力が大きくなっていく。
【００２６】
図８中の符号ｓ３で示す範囲である離間操作の後期段階の始まりにおいて、揺動部材１６の先部の最下部位にある張力補助手段１６ａが床面ａ１に当接し、この後、展開操作が進行するに伴って揺動部材１６の揺動角度θが漸次に小さくなり、揺動部材１６が中間結合部材５側に折り畳まれていく。
【００２７】
後期段階ｓ３において、２つのベッド支持面部１Ａ、１Ｂが展開状態に近づくと、揺動部材１６の第１スプリング係着片１７ａの位置が中間結合部材５の位置に近づき、スプリング１８による弾性折り畳み張力が失われていく。一方、ベッド支持面部１Ａ、１Ｂの自重が各コイルスプリング１８の弾性折り畳み張力のそれを超えたとき、２つのベッド支持面部１Ａ、１Ｂは何らの手操作力を付与しないでも、自重作用により展開側へ揺動される。このさい端部板材６に形成された突条部６ａに指を掛けて中間結合部材５を支持することにより床面ａ１上にゆっくりと降下させるようにすると衝撃が生じない。この降下により２つのベッド支持面部１Ａ、１Ｂが完全な展開状態となったとき、各ベッド支持面部１Ａ、１Ｂの下面の略全体が床面ａ１に支持されると共に揺動部材１６が床面ａ１に押され水平状態に近づいてベッド支持面部１Ａ、１Ｂの高さ範囲内に収納された状態となる。このとき各コイルスプリング１８の弾性折り畳み張力も消失するため、２つのベッド支持面部１Ａ、１Ｂの展開状態は維持される。
【００２８】
２つのベッド支持面部１Ａ、１Ｂの展開状態ではそれぞれの簀の子面部４、４の上面は水平な単一平面となるのであり、また中間結合部材５の横向き結合部材７の上面も該単一平面の一部をなすものとなる。該展開状態の簀の子面部４、４の上面にマット又は布団などの寝具が敷かれるのであり、この寝具の重量は２つのベッド支持面部１Ａ、１Ｂの展開状態をさらに安定的に維持させる上で寄与する。このさい、簀の子面部４、４はこれの上面に敷かれた寝具の下面に空気が流通するのを促進し、寝具の湿気の除去が効果的に行われる。また各ベッド支持面部１Ａ、１Ｂ及び中間結合部材５の内方の空間は断熱空間として機能し寝具の保温に寄与する。
【００２９】
２つのベッド支持面部１Ａ、１Ｂを図１に示す展開状態から図４に示す折り畳み状態に変化させるには、上述した折り畳み状態から展開状態に変化させるさいの手順の逆を実行すればよい。具体的には、図１に示す展開状態において、中間結合部材５の左右方向ｆ２一側の端部板材６の突条部６ａに手指を掛けて引き上げるように操作し、前記した後期段階ｓ３、中期段階ｓ２及び初期段階ｓ１をこの順に経て、２つのベッド支持面部１Ａ、１Ｂを図４に示すような側面視逆Ｖ字状とし、最後に係着具１３の嵌合突起１２、１２を孔ｂ４、ｂ４に嵌合させる。
【００３０】
図９は、展開された状態から揺動部材１６が自動的に引き出される原理を示す図である。図９Ａに示す展開された状態では、コイルスプリング１８は長さｍ１となっている。図において、第１スプリング係着片１７ａが実際にコイルスプリング１８を支持している点２０は、支点軸８、８の上側のところにある。この場合においては、コイルスプリング１８が短縮しようとする力は、ベッド支持面部１Ａ、１Ｂを逆向きに折り畳もうとする力であり、位置規制面ｂ３が端面７ａに当接することにより展開状態が保持される。
【００３１】  端部板材６の突条部６ａに手指を掛けて引き上げて、ベッド支持面部１Ａ、１Ｂの第２スプリング係着片１７ｂ及び支点軸８、８を結ぶ線Ｐ１上を脱すると（図９Ｂ）、コイルスプリング１８は、自らの長さを短くするために、第１スプリング係着片１７ａを引き出すように作用する。すなわち、コイルスプリング１８の長さｍ１よりもｍ２に短くなるように付勢力が働き第１スプリング係着片１７ａを引き出すのである。その後、さらにベッド支持面部１Ａ、１Ｂが折り畳まれると、揺動部材１６が引き出され、コイルスプリング１８は、ベッドを立ち上げる力を働かせる（図９Ｃ参照）。【００３２】  本実施例においては、図９Ｄに示す展開図における支点軸１５から遥動部材１６の第１スプリング係着片１７ａまでの長さｍ４は、ベッド支持面部１Ａ、１Ｂの長さＬに比べて短く、また左右の第２スプリング係着片１７ｂ、１７ｂを結ぶ線Ｐ２からｍ５だけずらし、第１スプリング係着片１７ａと支点軸１５の間を線Ｐ２が通過するように支点軸１５を設けている。このため、ベッド支持面１Ａ、１Ｂが展開状態からわずかに角度Ｑ（たとえば２度）ほど立ち上がったときに、ベッド支持面１Ａ、１Ｂの折り畳みによりコイルスプリング１８が短縮する量が、遥動部材１６の引き出しによりコイルスプリング１８が伸び量を超えるため、遥動部材１６が、コイルススプリング１８によって引き出されることになる。逆に、０度から２度までの間で遥動部材１６を引き出すためには、端部部材６の突状部６ａに手指を掛けて引きあげることによって、遥動部材１６の自重により落下する作用を利用する。第１スプリング係着片１７ａに設けたコイルスプリング１８の支持点２０は、前述のように支点軸８より高い位置にあるが、これにより上向きに働く力は僅かである。遥動部材１６の自重によらずに引き出すためには、別途バネ等の弾性体等を設けてもよいが、部品点数の増加に撃がる。【００３３】  尚、また、支持点２０を支点軸８、８の床面側にずらして設定しておけば、展開当初から揺動部材１６をコイルスプリング１８により常に引き出し方向の力が作用されている状態とすることができる。【００３４】  ２つのベッド支持面部１Ａ、１Ｂが展開された状態ではコイルスプリング１８、１８の付勢力はバランスして、弾性折り畳み張力がほぼゼロとなっている一方で、２つのベッド支持面部１Ａ、１Ｂの自重が作用しているため、折り畳み処理の開始時に突条部６ａに付与すべき引き上げ操作力は、折り畳み処理の進行が図７に示す程度に進行したときに較べると、手の感覚で明らかに差異が認識される程度に大きいものとなるのであり、このことは使用者が折り畳み式ベッドの展開状態と折り畳み途中状態とを明確に区別することを可能となして不完全な操作を回避する上で寄与する。【００３５】
折り畳み操作が進行して、図７に示すように２つのベッド支持面部１Ａ、１Ｂの対向辺部２ａ、２ａが少し上方へ変位された段階以降に対応した前記後期段階ｓ３及び前記中期段階ｓ２では、揺動部材１６が引き出された状態となり、コイルスプリング１８、１８による弾性折り畳み張力が比較的大きく増大する。したがって前記後期段階ｓ３及び前期中期段階ｓ２での折り畳み処理に要する使用者の手操作力はコイルスプリング１８、１８による弾性折り畳み張力に補助されて軽減される。そして折り畳み処理が終了する段階に対応する前期初期段階ｓ１では、コイルスプリング１８、１８による弾性折り畳み張力が減少し、折り畳み処理に要する使用者の手操作力は一層小さくなる。
【００３６】
上記した２つのベッド支持面部１Ａ、１Ｂの折り畳み処理や展開処理において、各支持輪１９は折り畳み式ベッドの展開状態にある場合に床面ａ１に当接して、ベッド支持面部１Ａ、１Ｂと床面ａ１の相対変位を円滑とする。このさい各支持輪１９は左右向きの支軸回りへのみ回転するため２つのベッド支持面部１Ａ、１Ｂを前後方向ｆ１へ特に効果的に案内して、２つのベッド支持面部１Ａ、１Ｂの折り畳み動作や展開動作を安定的且つ円滑とするのに寄与する。展開状態において各支持輪１９が床面ａ１に当接していても、わずかにベッド支持面部１Ａ、１Ｂの各支持輪１９付近が床面から浮くだけであり、他の部分はしなりにより床面ａ１に当接しているため、折り畳み式ベッドが動くことは無い。
【００３７】
上記実施形態は次のように変形することができる。
ベッド支持面部１Ａ、１Ｂの内外に空気を流通させるための通気孔を外方辺部２ａ、対向辺部２ｂ又は側片部２ｃ、２ｄに設けることも差し支えない。このようにすれば、床面ａ１に展開状態で設置された折り畳み式ベッドの上面に寝具を長期間に亘って敷いたままにしても、寝具の下面に外気を円滑に流通させて、寝具の湿気を効果的に除去することが可能となる。
【００３８】
さらには各外方辺部２ａ、２の外面で各支持輪１９の近傍に、縦軸回りの方向変化自在となされたキャスターを設けることも差し支えない。このさい、各キャスターは折り畳み式ベッドが図４に示すように側面視逆Ｖ字状の折り畳み状態に近い状態にあるときにのみ、支持輪１９に代わって支持案内作用を奏する。キャスターを設ければ、支持輪の既述の効用を損ねない上に、使用者が折り畳み式ベッドを床面ａ１上で押し引きし方向変化させながら他所へ移動させる作業を簡便且つ円滑に行うことができる。
【００３９】
図１０は、支持輪１９を外方辺部２ａに埋め込んだ他の実施例を示す図である。外方辺部２ａに切り欠き２２を支持輪１９の形状に切り抜き、支持輪１９の軸を埋設する。
【００４０】
また、図１１は、第１スプリング係着片１７ａの他の例を示す図である。先の実施例においては、揺動部材１６の両側面に別体となった第１スプリング係着片１７ａを設けていたが、本実施例においては、左右の第１スプリング係着片１７ａを一体のものとし、第１スプリング係着片１７ａの底面に螺子２４により止めたものである。先の実施例においては、折り畳まれた際に第１スプリング係着片１７ａが揺動部材１６側面に設けられていたため補強部材９に設ける第１切欠部ｂ５を大きくとらなければならなかったが、本実施例によれば、第１係着片１７ａは第１係着片１７ａの底面に平行な面で左右に延長し、コイルスプリング１８の支持点を設けるため、補強部材９の第１切欠部ｂ５を先の実施例に比べて小さくすることができる。
【００４１】
先の実施例においては、左右の第２スプリング係着片１７ｂ、１７ｂを結ぶ線Ｐ２からｍ５だけずらし、第１スプリング係着片１７ａと支点軸１５の間を線Ｐ２が通過するように支点軸１５を設けたが、線Ｐ２が第１スプリング係着片１７ａ或いは支点軸１５の外側を通過するように支点軸１５を設けても良い。
【００４２】
上記実施例においては、コイルスプリング１８を使用したが、ゴム等の弾性部材を用いても良いことは自明である。
【図面の簡単な説明】
【００４３】
【図１】本発明に係る折り畳み式ベッドを示す斜視図である。
【図２】折り畳み操作が少し行われた状態の前記ベッドを斜め下方から見た斜視図である。
【図３】側面視逆Ｖ字状に折り畳んだ状態の前記ベッドの上部を示す斜視図である。
【図４】前記ベッドを側面視逆Ｖ字状に折り畳んで姿勢規制手段により固定化させた状態を示す斜視図である。
【図５】図２の一部を拡大して示した斜視図である。
【図６】前記ベッドの揺動部材の周辺を拡大して示す斜視図である。
【図７】折り畳み操作が少し行われた状態の前記ベッドを斜め上方から見た斜視図である。
【図８】折り畳み式ベッドの側面視説明図である。
【図９】揺動部材１６が引き出される原理を示す図である。
【図１０】支持輪１９の他の実施例を示す図である。
【図１１】第１スプリング係着片１７ａの他の実施例を示す図である。
【符号の説明】
【００４４】
１Ａ ベッド支持面部
１Ｂ ベッド支持面部
２ｂ 対向辺部
４  簀の子面部
５  中間結合部材
１５  支点軸
１６  揺動部材
１６ａ  張力補助手段
１８  弾性部材（スプリング）
１９  支持輪
ａ１  床面
【図１】
0004957536.tif 000002
【図２】
0004957536.tif 000003
【図３】
0004957536.tif 000004
【図４】
0004957536.tif 000005
【図５】
0004957536.tif 000006
【図６】
0004957536.tif 000007
【図７】
0004957536.tif 000008
【図８】
0004957536.tif 000009
【図９】
0004957536.tif 000010
【図１０】
0004957536.tif 000011
【図１１】
0004957536.tif 000012